(57)【特許請求の範囲】
【請求項１】
吊り下げた吊り足場材（１）を連結して組立てた吊り足場（２）に、その組立て方向先方に突出するように落下防止具（３）を取付けるための取付用治具が、吊り足場材（１）にセット可能なセット部（４）と、落下防止具（３）の支持部（５）を保持可能な保持部（６）とを備え、保持部（６）は前記支持部（５）を保持可能な状態から保持を解除可能な状態まで回動自在な係止部（７）と、その係止部（７）を回転操作するハンドル（８）とを備えたことを特徴とする吊り足場への落下防止具取付用治具。
【請求項２】
係止部（７）が支持部（５）を保持した状態で、ハンドル（８）の回転を阻止する止め具（９）を設けたことを特徴とする請求項１記載の吊り足場への落下防止具取付治具。
【請求項３】
セット部（４）が吊り足場材（１）にその上方からセット及び離脱可能であることを特徴とする請求項１又は請求項２記載の吊り足場への落下防止具取付用治具。
【請求項４】
ハンドル（８）が、セット部（４）を吊り足場材（１）にセットすると、吊り足場材（１）よりも上方に突出するように設けられてなることを特徴とする請求項１乃至請求項３のいずれかに記載の吊り足場への落下防止具取付用治具。
【発明の詳細な説明】
【０００１】
【発明の属する技術分野】
本発明は高速道路や橋脚等の工事をはじめとする各種の建設、土木工事等において、高所作業を行なうために組立てられる吊り足場に落下防止具を取付けるための取付け具に関するものである。
【０００２】
【従来の技術】
前記した各種の建設、土木工事では、吊り足場と称される足場を組み立て、その上で建設作業や改修作業等を行なうことがある。従来の吊り足場は高速道路や橋脚等の下に丸パイプを吊下げ、その丸パイプの上に踏み板をのせて番線で固定したものが一般的であった。しかし、それは丸パイプの吊下げ、踏み板の固定等の作業が面倒であり、また、危険でもあった。そこで本件出願人は先に、横長方形の枠材の上に金属網、金属板、木材板等を固定してパネル状にした吊り足場材を開発した。これらは特許第２１３７０００号、実用新案登録第２１２３３２６号として登録されている。
【０００３】
前記吊り足場材１は図５、図６に示す様に、金属製の横長の枠体１０の二箇所に、支持材Ａから吊下げるチェーンＢを係止する係止パイプ２０を設け、同枠体１０に金属網、金属板等の踏み材１１を固定して人が乗ることができる広さのパネル状に形成し、枠体１０の配列方向一方の側面に、隣接する吊り足場材１同士を配列方向に連結するための配列方向連結突子２１（図５）を設け、他方の側面に配列方向連結突子２１を差込んで連結可能な配列方向連結孔２２（図５）を設け、更に、枠体１０の横方向に、隣接する吊り足場材１の連結パイプ２４（図６）同士をクランプＣにより横方向に連結できるようにしたものである。
【０００４】
前記吊り足場材１を使用して吊り足場２を組立てるには例えば図７に示す様にする。
▲１▼．二本の支持材Ａの対向位置にチェ−ン吊下用のクランプＤを取付けてそれにチェーンＢを吊下げる。
▲２▼．チェーンＢを同図に示す様に吊り足場材１の左右の係止パイプ２０に掛けて、その吊り足場材１を支持材Ａに対して横向きに水平に吊下げる。
▲３▼．吊下げられた吊り足場材１の踏み材１１の上に作業者が乗って支持材Ａの先方に別のクランプＤを取付け、それにチェーンＢを吊下げる。
▲４▼．チェーンＢを別の吊り足場材１の左右の係止パイプ２０の夫々に掛けて、その吊り足場材１を先に吊下げた吊り足場材１の先に吊下げる。
▲５▼．後から吊下げた吊り足場材１の配列方向連結突子２１を、先に吊下げた吊り足場材１の配列方向連結孔２２に差込んで、二つの吊り足場材１を配列方向に連結固定する。
以下、この作業を繰返して多数の吊り足場材１を配列方向に連結して吊り足場２を組立てる。
▲６▼．前記のようにして組立てられた吊り足場２の幅が狭い場合には、隣の支持材にクランプを取付け、それにチェーンを吊下げ、そのチェーンに別の吊り足場材１を先に吊下げられている吊り足場材１の横に吊下げる。この場合、図６に示す様に後から吊下げた吊り足場材１の連結パイプ２４と、先に組立てられている吊り足場材１の連結パイプ２４とをクランプＣで連結して両吊り足場材１同士を横に連結する。
【０００５】
【発明が解決しようとする課題】
前記の吊り足場組立て方法では、従来のパイプを使用した吊り足場の課題を解決することができ、特に問題はないが、強いて挙げると次のような課題があった。
▲１▼．先に組立てた吊り足場材１の先方に、次の吊り足場材１を吊を下げる際に、吊下げようとする吊り足場材１が過って落下する危険がある。
▲２▼．組立てた吊り足場２の先から工具、連結具、建設資材等が落下する虞れがあり、危険である。
【０００６】
【課題を解決するための手段】
本件発明者は前記課題を解決するために、鋭意研究の末、吊り足場の組立てにあたって、吊り足場材を吊下げる前に、吊り足場の組立て方向先方に落下防止具を取付けることを発明すると共に、その落下防止具を吊り足場に手軽に装着することができ、また、装着したまま吊り足場の先方に手軽に移動することもできる本件発明の吊り足場への落下防止具取付用治具を開発した。
【０００７】
本件出願の第１の発明は、吊り下げた吊り足場材を連結して組立てた吊り足場に、その先組立て方向先方に突出するように落下防止具を取付けるための取付用治具が、吊り足場材にセット可能なセット部と、落下防止具の支持部を保持可能な保持部とを備え、保持部は前記支持部を保持可能な状態から保持を解除可能な状態まで回動可能な係止部と、その係止部を回転操作するハンドルとを備えたものである。
【０００８】
本件出願の第２の発明は、係止部が支持部を保持した状態で、ハンドルの回転を阻止する止め具を設けたものである。
【０００９】
本件出願の第３の発明は、セット部を、吊り足場材にその上方からセット及び離脱可能としたものである。
【００１０】
本件出願の第４の発明は、ハンドルが、セット部を吊り足場材にセットすると、吊り足場材よりも上方に突出するように設けられてなるものである。
【００１１】
【発明の実施の形態】
（実施形態１）
本件発明の吊り足場への落下防止具取付用治具の実施形態の説明に先立って、吊り足場に取付けられる落下防止具の一例を図４に基づいて説明する。図４に示す落下防止具３は外径約６０ｍｍの２本の金属製丸パイプ３０を間隔を開けて平行に配置し、その丸パイプ３０の先端側に受具３１を設け、丸パイプ３０の反対側を吊り足場２の下に沿わせて吊り足場２に取付ける支持部５としてある。受具３１は金属製丸パイプにより吊り足場材１よりも横長に形成した長方形の底枠３２を支持部５の先端側に取付け、その底枠３２に金属パイプ製の底枠補強材３３を設け、底枠３２の先端面から上方に前枠３４を立ち上げ、それに前枠補強材３５を取付け、底枠３２の両側面から上方に側面枠３６を立ち上げ、それに側面枠補強材３７を取付け、それら４つの枠の内側に樹脂製のネットを張ってある。前記前枠３４は底枠３２に溶接されて固定されているが、側面枠３６は取付け具３８により底枠３２に図中の矢印ａ−ｂ方向に回動可能に取付けられている。この両側面枠３６は立ち上げた状態で前枠３４に長さ調節可能な連結具３９により連結し、その長さを調節することによって両側面枠３６の立ち上がり角度を調節することができ、また、連結具３９による連結を解除して内側に回動させると底枠３２の上に重ねて折畳むことができるようにしてなるものである。
【００１２】
落下防止具３は図４に示したものに限られず、受具３１の前方といずれか一方の側方にのみ立ち上げた側面枠３６の内側に樹脂製のネットを張った様なものとすることもできる。また、前枠３４、側面枠３６は必ずしも形成しなくともよい。但し、その場合には受具３１に張るネットを多少たるませて、落下物を受け止め易くすることが望ましい。また、受具３１は支持部５の先端にカゴやパネルを取付けたものとすることもできる。
【００１３】
次に、前記落下防止具３を吊り足場２に取付けるための、本件発明の吊り足場への落下防止具取付用治具の第１の実施形態を図１〜図３に基づいて詳細に説明する。この落下防止具取付用治具は図１、図２に示す様に、吊り足場材１にセット可能なセット部４と、落下防止具３の支持部５を保持可能な保持部６とを備え、保持部６は前記支持部５を保持可能な状態から保持を解除可能な状態まで回動可能な係止部７と、その係止部７を回転操作するハンドル８とを備えている。
【００１４】
セット部４は吊り足場材１の連結パイプ２４の上に被せる下向きコ字状の嵌合部４１と、嵌合部４１を連結パイプ２４の上に被せたときに、吊り足場材１を上下から挟む挟着部１３とからなる。挟着部１３は吊り足場材１の踏み材１１の上に乗せることができる上挟着材（薄い角パイプ）４２と、上挟着材４２の上面に溶接して、上挟着材４２を上下に貫通して回動可能とした回動子４３から側方に突設された下挟着材４４とからなり、この上挟着材４２と下挟着材４４とにより吊り足場材１を上下から挟むことができる様にしてある。上挟着材４２の底面にはラバーゴム等の滑り止め材４５が貼り付けられている。上挟着材４２には差し込み穴４６が形成されている。回動子４３、下挟着材４４には金属製の丸棒が使用されている。
【００１５】
前記保持部６は回動子４３と、上挟着材４２の底面に溶接して回動子４３と平行に設けた縦杆４７と、縦杆４７から回動子４３側に突設した上下規制杆４８と、回動子４３の下端部をＬ字状に曲げて縦杆４７よりも外側まで突出させた回動ストッパー４９とから構成される。縦杆４７、上下規制杆４８には金属製の丸棒が使用されている。
【００１６】
回動子４３の上部はＬ字状に曲げてハンドル８を形成してある。このハンドル８は回動子４３を回転操作して回動ストッパー４９と下挟着材４４を回転させるためのものであり、回動ストッパー４９と反対方向に曲げてある。回動子４３には降下ストッパー（ナット）５０が溶接により固定されている。降下ストッパー５０には図１に示す様に係止片５１がハンドル８と反対方向に突出するように溶接により固定されており、この係止片５１には差し込み穴５２が開口されている。この係止片５１はハンドル８の回転に伴って回転し、ハンドル８を右向きに回転させると、係止片５１の差し込み穴５２が上挟着材４２の差し込み穴４６と連通状態となるようにしてある。降下ストッパー５０には止め具９がチェーン５３により連結されており、この止め具９を係止片５１の差し込み穴５２に抜き差し自在としてある。この止め具９には、通常はピン６０の外側に突出しているが、押されるとピン６０の内側に押込まれる規制片６１が設けられているグラビティーピンを使用して、ピン６０を連通状態となった差込み穴４６、５２に押込むと、同差込み穴４６、５２の内壁によって前記規制片６１が押込まれて、差込み穴４６、５２に挿入され、挿入された後は規制片６１が元の位置に復帰し、差込み穴４６、５２を通過不可能となり、ピン６０が外れなくなるようにしてある。
【００１７】
前記したハンドル８と、下挟着材４４と、上下規制杆４８と、回動ストッパー４９の関係は、ハンドル８を図１の右方向へ回転させると回動ストッパー４９が縦杆４７の下端側面に当って回動子４３はそれ以上回動せず、ハンドル８を逆回転させると下挟着材４４が縦杆４７に当って回動子４３がそれ以上回動しないようにしてある。しかも、回動ストッパー４９が縦杆４７の下端側面に当るまでハンドル８を回転させると、下挟着材４４が吊り足場材１の下にセットされると同時に回動子４３と縦杆４７と上下規制杆４８と回動ストッパー４９とによって囲まれた空間７０が形成され、その空間７０によって落下防止具３の支持部５が保持される。下挟着材４４が縦杆４７に当るまでハンドル８を回転させると、下挟着材４４が吊り足場材１の下から確実に外れると同時に空間７０が解除される。これにより、回動子４３の回動量を目視により確認しなくとも、回動ストッパー４９が縦杆４７の下端側面に当って停止する位置まで回転させるだけで、下挟着材４４の位置及び空間７０の状態を確認することができるようにしてある。
【００１８】
本件発明の落下防止具取付用治具にはそれが吊り足場２から落下することを防止するための連結具を設けてある。この連結具は図１に示す様に一端をハンドル８の角に固定したワイヤロープ７１の他端に、吊り足場２の任意の箇所に取付け／取外し可能なフック７２を設けてある。前記ワイヤロープ７１は同図に示す様に螺旋状に巻いて伸縮性を付与したものとして、万一当該防止具取付用治具が吊り足場２から落下しても、その衝撃が吸収されて切断しにくくなるようにしてある。
【００１９】
前記構造の本件発明の吊り足場への落下防止具取付用治具４０を使用して落下防止具３を吊り足場２に取付けるには次のようにする。
１）吊り足場材１を一枚づつ支持材Ａに吊下げ、吊下げた吊り足場材１同士を配列方向に連結する。
２）組立てた吊り足場２の先方に図３の様に落下防止具３を配置する。このとき落下防止具３の受具３１の後部が吊り足場１の最先端の吊り足場材１の下にオーバーラップするように配置して、吊り足場２の先端と落下防止具３との間に隙間ができないようにする。このとき本発明の落下防止具取付用治具４０を使用して落下防止具３を吊り足場２に取付ける。その取り付けは次のようにして行なう。
３）図２に示す様にハンドル８を回転操作して下挟着材４４を内側に向けておき、その状態で嵌合部４１を、前記のように吊り下げられて組立てられた吊り足場材１の連結パイプ２４の上に被せ、上挟着材４２を吊り足場材１の踏み材１１の上に乗せる。
４）図２に示す様に前記状態でハンドル８を逆方向に回転操作して、下挟着材４４を外側に回転させて当該踏み材１１の下まで回転させて、吊り足場材１を上挟着材４２と下挟着材４４とにより挟着する。この挟着により本発明の落下防止具取付用治具４０が吊り足場材１に固定される。
５）図１のピン６０を係止片５１の差し込み穴５２から上挟着材４２の差し込み穴４６に差し込み、ピン６０の規制片６１が上挟着材４２の差し込み穴４６の下方に貫通して突出するまで差し込む。これによりハンドル８の逆回転が防止され、セット部４が吊り足場材１から外れないようにする。
６）前記と（３）〜（５）と同様にして、図３（ａ）（ｂ）に示す様に落下防止具取付用治具４０を、吊下げられている数枚の吊り足場２のうち、先端側の数枚（例えば５枚）の吊り足場材１の下にセットする。
７）図３（ｂ）に示す様にセットされた複数個（例えば５個）の落下防止具取付用治具４０の空間７０（図２）内に、吊り足場２の組立て方向先方から落下防止具３の支持部５を挿入して、同支持部５を吊り足場２の下方に同吊り足場２に沿って配置する。このとき図１に示す様に落下防止具３の受具３１の後部が吊り足場２の組立て方向先方とオーバーラップする様にする。この場合、空間７０は支持部５の外径より若干大きめであるため、支持部５を円滑に差込むことができる。
８）落下防止具３の上方で、吊り足場材１を支持材Ａに吊下げ、その吊り足場材１を吊り足場２に連結する。
９）前記（８）の作業が終了したら、吊り足場２に沿って取り付けた数個の落下防止具取付用治具４０のうち、最後尾の落下防止具取付用治具４０のハンドル８を操作して、下挟着材４４を吊り足場材１の下から外側に突出させて、下挟着材４４と上挟着材４２とによる吊り足場材１の挟着を解除し、当該落下防止具取付用治具４０を吊り足場材１から取外す。
１０）落下防止具３を吊り足場材１の先方にスライドさせる。取外した落下防止具取付用治具４０を吊り足場２の最先端の吊り足場材１に装着して、落下防止具３の支持部５の先端部を支持する。
１１）スライドさせた落下防止具３の上方で次の吊り足場材１を吊下げ、この吊り足場材１を前回組立てた吊り足場材１に連結する。
１２）以下、前回と同様に最後尾の落下防止具取付用治具４０の取外し、前方への落下防止具３のスライド、取外した落下防止具取付用治具４０の吊り足場材１への装着及び落下防止具３の支持、その上方での吊り足場材１の吊下げを繰返して、吊り足場材１を一枚づつ順次配列方向に連結し、所望の長さの吊り足場２を組立てる。
１３）前記のようにして組立てられた吊り足場２の幅が狭い場合には、隣の支持材Ａに吊り足場材１を吊下げて、先に組立てられた吊り足場２の横に新たな吊り足場材１を次々と吊下げる。このときも上記の場合と同様の手順で、吊り足場２の先方に落下防止具３を配置して、その上で吊り足場材１の吊下げ、吊り足場材１の組立てを繰返す。
【００２０】
【発明の効果】
本発明の吊り足場への落下防止具取付用治具を使用すれば、吊り足場に落下防止具を取付けることができるので次のような効果がある。
▲１▼．吊り足場の長手方向先端から作業員が転落したり、工具、建設資材等が落下する虞れがない。
▲２▼．吊り足場から作業員、工具、建設資材等が落下する虞れがないため、吊り足場の下の交通を規制する必要がない。
▲３▼．転落の虞れがないため、未熟な作業員でも吊り足場の先端での作業に恐怖を感じることがない。
▲４▼．吊り足場に落下防止具をスライド可能に取付けることができるので、落下防止具を取付けた後に吊り足場を延長する場合に、落下防止具を前方にスライドさせ、既存の吊り足場と落下防止具との間に形成された空間に吊り足場を継ぎ足すことが可能である。従って、吊り足場を延長するために落下防止具を取外したり、取付けたりする必要がない。
【００２１】
本発明の第２の吊り足場への落下防止具取付用治具には次のような効果がある。
▲１▼．ハンドルの回転を阻止する止め具が設けられているので、不用意にハンドルが回動することがなく、安全性が高い。
【００２２】
本発明の第４の吊り足場への落下防止具取付用治具には次のような効果がある。
▲１▼．セット部が吊り足場材にその上方からセット可能であるため、吊り足場材への取付が容易である。
【００２３】
本発明の第５の吊り足場への落下防止具取付用治具には次のような効果がある。
▲１▼．ハンドルが、セット部を吊り足場材に装着すると、吊り足場材よりも上方に突出するように設けられてなるので、吊り足場材にセットした後でも楽にハンドルを操作することができる。
【図面の簡単な説明】
【図１】本発明の吊り足場への落下防止具取付用治具の実施形態の第１の例を示す斜視図。
【図２】本発明の吊り足場への落下防止具取付用治具の使用方法を示す説明斜視図。
【図３】（ａ）は本発明の吊り足場への落下防止具取付用治具によって落下防止治具を取付けた状態を示す平面図、（ｂ）は同側面図。
【図４】本発明の落下防止具の一例を示す下方斜視図。
【図５】吊り足場材の一例を示す説明図。
【図６】吊り足場材の一例を示す説明図。
【図７】従来の吊り足場組立て工法の一例を示す説明図。
【符号の説明】
１  吊り足場材
２  吊り足場
３  落下防止具
４  セット部
５  支持部
６  保持部
７  係止部
８  ハンドル
９  止め具
１０枠体
１１踏み材
【図１】
0004070316.tif 000002
【図２】
0004070316.tif 000003
【図３】
0004070316.tif 000004
【図４】
0004070316.tif 000005
【図５】
0004070316.tif 000006
【図６】
0004070316.tif 000007
【図７】
0004070316.tif 000008